(57)【要約】【課題】端子とコアとの間の絶縁を十分に確保することが可能な構造のコイル部品を提供する。【解決手段】コイル部品１００は、芯部１１を有する磁性コア１０と、磁性コア１０を収容している絶縁枠体２４と、絶縁枠体２４に設けられている電極端子部材４７と、絶縁被覆されている導線５５により構成されているとともに電極端子部材４７に対して電気的に接続されている少なくとも１つのコイル（例えば第１コイル５６及び第２コイル５７）とを有し、少なくとも１つのコイルは、絶縁枠体２４の第２壁部２８と第５壁部３１とに亘って接触した状態となるように絶縁枠体２４及び芯部１１の周囲に巻き付けられている巻回部５８を備えている。【選択図】図３
2020126909.tif 000002
【特許請求の範囲】
【請求項１】
芯部を有する磁性コアと、
前記磁性コアを収容している絶縁枠体と、
前記絶縁枠体に設けられている電極端子部材と、
絶縁被覆されている導線により構成されているとともに、前記電極端子部材に対して電気的に接続されている、少なくとも１つのコイルと、
を有し、
前記少なくとも１つのコイルは、前記絶縁枠体の外面に接触した状態となるように前記絶縁枠体及び前記芯部の周囲に巻き付けられている巻回部を有するコイル部品。
【請求項２】
前記磁性コアは、前記芯部の軸方向における前記芯部の両側にそれぞれ配置されている一対の鍔部を有し、
前記一対の鍔部の各々は、前記芯部の軸方向に対して直交する方向へ前記芯部から張り出しており、
前記絶縁枠体は、前記芯部を収容している中間部と、前記一対の鍔部の各々を収容している一対の鍔部収容部と、を有し、
前記巻回部は、前記芯部及び前記中間部の周囲に巻き付けられているとともに、前記中間部の外面に接触している請求項１に記載のコイル部品。
【請求項３】
前記一対の鍔部の各々は、前記芯部の軸方向における外方を向く第１面と、当該鍔部の下面である第２面と、当該鍔部の側面である第３面と、を有し、
前記絶縁枠体の前記一対の鍔部収容部の各々は、前記第１面を覆う第１壁部と、前記第２面を覆う第２壁部と、前記第３面を覆う第３壁部と、前記第３壁部に隣接しているとともに前記第１壁部と対向している第４壁部と、を有し、
前記一対の鍔部の各々は、平面視において前記芯部の延長上に配置されている基部と、前記基部から側方に張り出している側方張出部と、を有し、
前記第４壁部は、前記側方張出部の外面のうち、前記第１面とは反対側を向く面である第４面を覆っている請求項２に記載のコイル部品。
【請求項４】
前記中間部は、前記芯部の側面を覆う第５壁部を有し、
前記第３壁部の上端の高さ位置よりも前記第５壁部の上端の高さ位置が低い請求項３に記載のコイル部品。
【請求項５】
前記第５壁部の上端の高さ位置よりも前記芯部の上面の高さ位置が高く、
前記巻回部は、前記芯部の上面に接触する状態で巻き付けられている請求項４に記載のコイル部品。
【請求項６】
前記第５壁部の上端の高さ位置は、前記第４壁部の上端の高さ位置と同じであるか又はそれよりも低い請求項４又は５に記載のコイル部品。
【請求項７】
前記第５壁部の上端の高さ位置は、前記第４壁部の上端の高さ位置よりも低い請求項５又は６に記載のコイル部品。
【請求項８】
前記第４壁部の上端の高さ位置は、前記第３壁部の上端の高さ位置よりも低い請求項３から７のいずれか一項に記載のコイル部品。
【請求項９】
前記磁性コアとともに閉磁路を構成する第２磁性コアを更に備え、
前記第２磁性コアの下面の高さ位置は、前記第３壁部の上端の高さ位置よりも低い請求項３から８のいずれか一項に記載のコイル部品。
【請求項１０】
前記磁性コアとともに閉磁路を構成する第２磁性コアを更に備え、
前記第４壁部の上端の高さ位置は、前記第２磁性コアの下面の高さ位置と同じであるか又はそれよりも低い請求項３から９のいずれか一項に記載のコイル部品。
【請求項１１】
前記側方張出部における前記第４壁部側の部分には、前記芯部の軸方向における外方に向けて前記基部よりも窪んだ凹部が形成されて、前記第４面は、前記基部における内方側の面よりも外方にオフセットされており、
前記凹部に前記第４壁部が入り込んでいる請求項３から１０のいずれか一項に記載のコイル部品。
【請求項１２】
前記第３壁部の一部分は、前記鍔部よりも、前記芯部の軸方向における内方側に配置されている請求項３から１１のいずれか一項に記載のコイル部品。
【請求項１３】
前記磁性コアとともに閉磁路を構成する第２磁性コアを更に備え、
前記第２磁性コアは、前記一対の鍔部の上面間に亘って架設されている板コアであり、
前記鍔部の前記上面の面積は、前記鍔部の平断面積の最大値に等しい請求項２から１２のいずれか一項に記載のコイル部品。
【請求項１４】
前記磁性コアとともに閉磁路を構成する第２磁性コアを更に備え、
前記第２磁性コアは板コアであり、
前記一対の鍔部収容部の各々は、前記第２磁性コアの少なくとも下端部を収容している請求項２から１３のいずれか一項に記載のコイル部品。
【請求項１５】
前記磁性コアとともに閉磁路を構成する第２磁性コアを更に備え、
前記第２磁性コアは板コアであり、
平面視において、前記板コアの外形線の内側に前記磁性コアが収まっている請求項１から１４のいずれか一項に記載のコイル部品。
【請求項１６】
前記磁性コアとともに閉磁路を構成する第２磁性コアを更に備え、
前記第２磁性コアは、接着剤によって、前記絶縁枠体に固定されている請求項１から１５のいずれか一項に記載のコイル部品。
【発明の詳細な説明】
【技術分野】
【０００１】
本発明は、コイル部品に関する。
【背景技術】
【０００２】
従来のコイル部品としては、例えば、特許文献１に記載のものがある。
特許文献１のコイル部品は、Ｅ型の第１磁性コアと、第１磁性コアの芯部に巻回されたコイルと、第１磁性コア上に配置されているＩ型の第２磁性コアと、複数の端子と、端子を保持する端子台と、を備え、第１磁性コアと第２磁性コアによって閉磁路が構成されている。
【先行技術文献】
【特許文献】
【０００３】
【特許文献１】実開昭６３−１０２２２２号公報
【発明の概要】
【発明が解決しようとする課題】
【０００４】
本発明者等の検討によれば、特許文献１のコイル部品の構造では、端子とコアとの間の絶縁性能について改善の余地がある。
【０００５】
本発明は、上記の課題に鑑みてなされたものであり、端子とコアとの間の絶縁を十分に確保することが可能な構造のコイル部品を提供するものである。
【課題を解決するための手段】
【０００６】
本発明によれば、芯部を有する磁性コアと、
前記磁性コアを収容している絶縁枠体と、
前記絶縁枠体に設けられている電極端子部材と、
絶縁被覆されている導線により構成されているとともに、前記電極端子部材に対して電気的に接続されている、少なくとも１つのコイルと、
を有し、
前記少なくとも１つのコイルは、前記絶縁枠体の外面に接触した状態となるように前記絶縁枠体及び前記芯部の周囲に巻き付けられている巻回部を有するコイル部品が提供される。
【発明の効果】
【０００７】
本発明によれば、磁性コアを収容している絶縁枠体に電極端子部材が設けられているので、電極端子部材と磁性コアとの間の絶縁を十分に確保することができる。
【図面の簡単な説明】
【０００８】
【図１】実施形態に係るコイル部品の斜視図である。
【図２】実施形態に係るコイル部品の底面側から視た斜視図である。
【図３】実施形態に係るコイル部品の分解斜視図である。
【図４】実施形態に係るコイル部品の平面図である。
【図５】実施形態に係るコイル部品の側面図である。
【図６】実施形態に係るコイル部品の斜視図であり、磁性コア、絶縁枠体及び金属端子部材のみを示す。
【図７】実施形態に係るコイル部品の平面図である（ただし、第２磁性コアの図示を省略している）。
【図８】図４のＡ−Ａ線に沿った断面図である（ただし、コイルの図示を省略している）。
【発明を実施するための形態】
【０００９】
以下、本発明の実施形態について、図面を用いて説明する。なお、すべての図面において、同様の構成要素には同一の符号を付し、適宜に説明を省略する。
【００１０】
図１から図８のいずれかに示すように、本実施形態に係るコイル部品１００は、芯部１１（図３、図６、図７、図８参照）を有する磁性コア１０（図３、図６、図７、図８参照）と、磁性コア１０を収容している絶縁枠体２４と、絶縁枠体２４に設けられている電極端子部材４７と、絶縁被覆されている導線５５により構成されているとともに電極端子部材４７に対して電気的に接続されている少なくとも１つのコイル５４（例えば、第１コイル５６と第２コイル５７との２つのコイル５４）と、を有する。
少なくとも１つのコイル５４は、絶縁枠体２４の外面に接触した状態となるように絶縁枠体２４及び芯部１１の周囲に巻き付けられている巻回部５８を有する。
【００１１】
本実施形態によれば、コイル部品１００は、磁性コア１０を収容している絶縁枠体２４に電極端子部材４７が設けられた構造となっている。このため、電極端子部材４７と磁性コア１０との間の絶縁を容易に確保することができる。よって、コイル部品１００の小型化も容易に実現することができる。
また、少なくとも１つのコイル５４の巻回部５８は、絶縁枠体２４の外面に接触した状態となるように絶縁枠体２４及び芯部１１の周囲に巻き付けられているが、コイル５４を構成する導線５５は、絶縁被覆されている。これにより、コイル５４の巻回部５８が磁性コア１０に接触していたとしても、磁性コア１０とコイル５４との間の絶縁、ひいては磁性コア１０と電極端子部材４７との間の絶縁を確保することができる。
【００１２】
以下の説明では、上下方向をＺ方向と称する。下（下方）は、後述する実装端子５０が配置されている側、すなわちコイル部品１００の実装面側である。ただし、コイル部品１００の製造時や使用時における各部の位置関係（特に上下の位置関係）は、本明細書で説明する位置関係に限らない。
芯部１１の軸方向は、Ｚ方向に対して直交する方向に延在している。芯部１１の軸方向をＹ方向と称し、Ｙ方向における一方を前（前方）、他方を後（後方）と称する。
また、Ｙ方向とＺ方向との双方に対して直交する方向をＸ方向と称し、Ｘ方向における一方を左（左方）、他方を右（右方）と称する。
これらの方向については、各図に示している。
更に、Ｙ方向において、芯部１１の軸方向における中心位置がある側を内方（内方側）、内方とは反対側を外方（外方側）と称する。同様に、Ｘ方向において、芯部１１の左右方向における中心位置がある側を内方（内方側）、内方とは反対側を外方（外方側）と称する。
また、Ｚ方向に対して直交する向き（方向）を水平（水平方向）と称し、Ｚ方向に沿う向き（方向）を鉛直（鉛直方向）と称する。
なお、芯部１１の軸方向は、後述する一対の鍔部１２どうしが対向する方向とも一致している。芯部１１の軸方向は、必ずしも芯部１１の長手方向とは一致しない。本実施形態の場合、芯部１１の軸方向における当該芯部１１の寸法よりも、芯部１１の左右幅寸法の方が大きい。
【００１３】
図３等に示すように、磁性コア１０は、その全体がフェライトなどの磁性材料によって一体形成されている。
本実施形態の場合、磁性コア１０は、例えば、Ｕコアである。磁性コア１０は、芯部１１の軸方向における芯部１１の両側にそれぞれ配置されている一対（前後一対）の鍔部１２を有する。
一対の鍔部１２の各々は、芯部１１の軸方向に対して直交する方向へ、芯部１１から張り出している。本発明において、芯部１１から鍔部１２が張り出している方向は、芯部１１の軸方向に対して直交する方向の成分を持つ方向であればよい。
本実施形態の場合、鍔部１２は、芯部１１から上方に張り出している。更に、鍔部１２は、芯部１１から左右のいずれか一方又は両方に張り出している。すなわち、一対の鍔部１２の各々は、平面視において芯部１１の延長上に配置されている基部１６と、基部１６から側方に張り出している側方張出部１７と、を有する（図７参照）。
より詳細には、一対の鍔部１２の各々は、基部１６から左右両側にそれぞれ張り出している一対（左右一対）の側方張出部１７を有する。そして、磁性コア１０は、平面視においてＨ字状に形成されている。すなわち、芯部１１は、鍔部１２よりも括れている（Ｘ方向における寸法が小さい）。
本実施形態の場合、図５に示すように、芯部１１の下面１１ｂと鍔部１２の下面（後述する第２面１４）とは、互いに同じ高さ位置に配置されている。より詳細には、磁性コア１０の下面１０ａ（下面１１ｂと一対の第２面１４とを含む）の実質的に全体が、平坦に形成され、且つ、水平に配置されている。
ただし、本発明は、この例に限らず、鍔部１２が芯部１１から上方にのみ張り出していてもよいし、上方には張り出しておらず左右のいずれか一方又は両方に張り出していてもよい。更には、鍔部１２が芯部１１から下方に張り出していてもよい。
【００１４】
芯部１１は、例えば、上下寸法が小さい（扁平な）直方体形状に形成されており、芯部１１の上面１１ａ及び下面１１ｂはそれぞれ水平に配置されている。芯部１１は、左右一対の側面１１ｃを有しており、これら側面１１ｃの各々は、Ｘ方向に対して直交している。
ただし、芯部１１の形状はこの例に限らず、芯部１１は、一対の鍔部１２どうしの間に位置していて、これら鍔部１２どうしを相互に連結していればよい。
【００１５】
一対の鍔部１２の各々は、芯部１１の軸方向における外方を向く第１面１３と、当該鍔部１２の下面である第２面１４（図５）と、当該鍔部１２の側面である第３面１５と、を有する。
前側の鍔部１２の第１面１３は、当該鍔部１２における前面であるとともに磁性コア１０の前面である。後側の鍔部１２の第１面１３は、当該鍔部１２における背面であるとともに磁性コア１０の背面である。
一対の鍔部１２の各々は、左右一対の第３面１５を有する。
側方張出部１７の外面のうち、第１面１３とは反対側を向く面を、第４面２０と称する。一対の鍔部１２の各々は、左右一対の第４面２０を有する。
基部１６において、芯部１１よりも上方に突出している部分は、第１面１３とは反対側を向く面を有する。この面を内方面１６ａと称する。
側方張出部１７の第４面２０は、基部１６の内方面１６ａよりも、Ｙ方向において外方にオフセットされている。すなわち、前側の鍔部１２の側方張出部１７の第４面２０は、前側の鍔部１２の基部１６の内方面１６ａよりも前方に位置しており、後側の鍔部１２の側方張出部１７の第４面２０は、後側の鍔部１２の基部１６の内方面１６ａよりも後方に位置している。内方面１６ａと各第４面２０との境界には、側方を向く段差面１８がそれぞれ形成されている。左側の段差面１８は左側を向いており、右側の段差面１８は右側を向いている。
換言すれば、前側の鍔部１２の左右両端部における後端部には、前側に向けて窪んだ凹部２１がそれぞれ形成されており、後側の鍔部１２の左右両端部における前端部には、後側に向けて窪んだ凹部２１がそれぞれ形成されている。各凹部２１は、鍔部１２の上端から下端に亘って連続的に形成されており、第４面２０と段差面１８とにより画定されている。従って、前側の鍔部１２における左側の凹部２１は上方、下方、左方及び後方に向けて開放しており、前側の鍔部１２における右側の凹部２１は上方、下方、右方及び後方に向けて開放しており、後側の鍔部１２における左側の凹部２１は上方、下方、左方及び前方に向けて開放しており、後側の鍔部１２における右側の凹部２１は上方、下方、右方及び前方に向けて開放している。
更に、一対の鍔部１２の各々は、上面１２ａを有する。
一対の鍔部１２の各々は、例えば、直方体形状に形成されている。また、一対の鍔部１２の各々は、例えば、左右に長尺に形成されている。
【００１６】
磁性コア１０は、例えば、左右対称な形状に形成されている。すなわち、磁性コア１０は、Ｘ方向に対して直交する仮想平面であって且つ芯部１１の軸中心を含む仮想平面（以下、第１仮想平面）を基準として、対称な形状となっている。従って、一対の鍔部１２の各々が左右対称に形成されているとともに、各鍔部１２における左右一対の側方張出部１７が互いに左右対称に形成されている。
更に、磁性コア１０は、例えば、前後対称な形状に形成されている。すなわち、磁性コア１０は、Ｙ方向に対して直交する仮想平面であって且つ芯部１１の軸方向における中心に位置する仮想平面（以下、第２仮想平面）を基準として、対称な形状となっている。従って、一対の鍔部１２は互いに前後対称に形成されている。
【００１７】
例えば、第１面１３はＹ方向に対して直交する平面状に形成されており、第２面１４はＺ方向に対して直交する（つまり水平な）平面状に形成されており、第３面１５はＸ方向に対して直交する平面状に形成されており、第４面２０及び内方面１６ａの各々はＹ方向に対して直交する平面状に形成されており、段差面１８はＸ方向に対して直交する平面状に形成されており、上面１２ａはＺ軸に対して直交する（つまり水平な）平面状に形成されている。
【００１８】
例えば、第１面１３に対して、上面１２ａ、第２面１４、及び、左右一対の第３面１５の各々が連続的に配置されている（連接されている）。
左側の第３面１５に対して、上面１２ａ、第２面１４、及び、左側の第４面２０の各々が連続的に配置されている（連接されている）。右側の第３面１５に対して、上面１２ａ、第２面１４、及び、右側の第４面２０の各々が連続的に配置されている（連接されている）。
左側の第４面２０に対して、上面１２ａ、第２面１４、及び、左側の段差面１８の各々が連続的に配置されている（連接されている）。右側の第４面２０に対して、上面１２ａ、第２面１４、及び、右側の段差面１８の各々が連続的に配置されている（連接されている）。
左側の段差面１８に対して、上面１２ａ、第２面１４、内方面１６ａ、及び、芯部１１の左側の側面１１ｃの各々が連続的に配置されている（連接されている）。右側の段差面１８に対して、上面１２ａ、第２面１４、内方面１６ａ、及び、芯部１１の右側の側面１１ｃの各々が連続的に配置されている（連接されている）。
内方面１６ａに対して、上面１２ａ及び芯部１１の上面１１ａの各々が連続的に配置されている（連接されている）。
【００１９】
なお、第１面１３と各第３面１５との境界部、各第３面１５と対応する第４面２０との境界部、及び、各段差面１８と内方面１６ａとの境界部は、面取り形状となっていることが好ましい。また、各第４面２０と、当該第４面２０と対応する段差面１８と、の境界部も、面取り形状となっていることが好ましい。
本実施形態の場合、上面１２ａは、その周縁を含む全面が平面形状に形成されているとともに、水平に配置されている。そして、上面１２ａの周縁から、第１面１３、左右一対の第３面１５、左右一対の第４面２０、左右一対の段差面１８、及び、内方面１６ａが垂下している。このため、上面１２ａと第１面１３との境界部、上面１２ａと左右一対の第３面１５の各々との境界部、上面１２ａと左右一対の第４面２０の各々との境界部、上面１２ａと左右一対の段差面１８の各々との境界部、及び、上面１２ａと内方面１６ａとの境界部は、それぞれ面取り形状とはなっておらず、急峻に折れ曲がった角部となっている。
【００２０】
本実施形態に係るコイル部品１００は、磁性コア１０とともに閉磁路を構成する第２磁性コア２３を更に備えている。
第２磁性コア２３は、例えば、磁性コア１０と同様の材料（フェライトなど）により、その全体が一体形成されている。
第２磁性コア２３は、例えば、板コアであり、平板状に形成されている。例えば、第２磁性コア２３は、上下寸法が小さい（扁平な）直方体形状に形成されている。例えば、第２磁性コア２３の上面２３ａ及び下面２３ｂは、それぞれ平坦に形成されているとともに水平に配置されている。
第２磁性コア２３の側周面２３ｃは、例えば、上面２３ａ及び下面２３ｂの各々に対して直交している鉛直面であり、平面視において矩形環状に形成されている。
上面２３ａの周縁部と側周面２３ｃの上縁との環状の境界部は、全周に亘り面取り形状となっていることが好ましい。
本実施形態の場合、下面２３ｂは、その周縁を含む全面が平面形状に形成されているとともに、水平に配置されている。そして、側周面２３ｃは、下面２３ｂの周縁から鉛直に起立している。このため、側周面２３ｃの周縁部と側周面２３ｃの下縁との境界部は、面取り形状とはなっておらず、急峻に折れ曲がった角部となっている。
第２磁性コア２３の平面形状は、例えば、角丸の矩形状となっている。つまり、例えば、側周面２３ｃの四隅の角部は、それぞれ面取り形状部とされている。
【００２１】
上述のように、絶縁枠体２４は、磁性コア１０を収容している。換言すれば、第２磁性コア２３は、磁性コア１０の外面の少なくとも一部分を覆っている。
絶縁枠体２４は、磁性コア１０の下面１０ａの少なくとも一部分を覆っていることが好ましく、下面１０ａの全面を覆っていることがより好ましい。
絶縁枠体２４は、例えば、上方に向けて開放した箱型形状に形成されており、当該絶縁枠体２４の上側から磁性コア１０を絶縁枠体２４内に収容させることが可能となっている。
【００２２】
より詳細には、絶縁枠体２４は、芯部１１を収容している中間部２６と、一対の鍔部１２の各々を収容している一対（前後一対）の鍔部収容部２５と、を有する。すなわち、前側の鍔部収容部２５が前側の鍔部１２を収容しており、後側の鍔部収容部２５が後側の鍔部１２を収容している。
これにより、磁性コア１０の芯部１１及び鍔部１２をそれぞれ絶縁枠体２４の中間部２６及び鍔部収容部２５によって電極端子部材４７から絶縁することができるので、より確実に、電極端子部材４７と磁性コア１０との間の絶縁を確保することができる。
なお、コイル５４の巻回部５８は、芯部１１及び中間部２６の周囲に巻き付けられているとともに、中間部２６の外面に接触している。
本実施形態の場合、巻回部５８は第２磁性コア２３の下面２３ｂよりも下方に位置している。
【００２３】
一対の鍔部収容部２５の各々は、鍔部１２の基部１６を収容する基部収容部４０と、鍔部１２の左右一対の側方張出部１７の各々を収容する左右一対の側方張出部収容部３７と、を有する。
【００２４】
絶縁枠体２４は、例えば、左右対称な形状に形成されている。すなわち、絶縁枠体２４は、上記の第１仮想平面を基準として、対称な形状となっている。従って、一対の鍔部収容部２５の各々が左右対称に形成されているとともに、各鍔部収容部２５における左右一対の側方張出部収容部３７が互いに左右対称に形成されている。
更に、絶縁枠体２４は、例えば、前後対称な形状に形成されている。すなわち、絶縁枠体２４は、上記の第２仮想平面を基準として、概ね対称な形状となっている。従って、一対の鍔部収容部２５は互いに概ね前後対称に形成されている。
【００２５】
一対の鍔部収容部２５の各々は、第１面１３を覆う第１壁部２７と、第２面１４を覆う第２壁部２８と、左右一対の第３面１５の各々を覆う左右一対の第３壁部２９と、左右一対の第４面２０の各々を覆う左右一対の第４壁部３０と、を有する。つまり、第４壁部３０は、側方張出部１７の外面のうち、第１面１３とは反対側を向く面である第４面２０を覆っている。
絶縁枠体２４が第４壁部３０を有するので、鍔部１２の側方張出部１７を絶縁枠体２４によって電極端子部材４７から絶縁することができ、電極端子部材４７と磁性コア１０との間の絶縁をより確実に確保することができる。
【００２６】
第１壁部２７は、第１面１３に対して略平行となって、第１面１３と対向していることが好ましい。第２壁部２８は、第２面１４に対して略平行となって、第２面１４と対向していることが好ましく、第２面１４に対して面接触していることがより好ましい。第３壁部２９は、第３面１５に対して略平行となって、第３面１５と対向していることが好ましい。第４壁部３０は、第４面２０に対して略平行となって、第４面２０と対向していることが好ましい。
より詳細には、例えば、第１壁部２７は第１面１３の全面を覆っており、第２壁部２８は第２面１４の全面を覆っており、第３壁部２９は第３面１５の全面を覆っている。
また、第４壁部３０は少なくとも第４面２０の下部を覆っている。第４壁部３０は、段差面１８の少なくとも下部も覆っている。
【００２７】
ここで、前側の鍔部収容部２５について説明する。なお、後側の鍔部収容部２５は、前側の鍔部収容部２５と概ね前後対称に形成されているため、重複する説明は適宜省略する。
前側の鍔部収容部２５の概略の平面形状は、前側の鍔部１２の平面形状と対応しており、例えば、当該鍔部１２を一回り大きくした形状となっている。
第２壁部２８は、鍔部収容部２５の下端部を構成している。第２壁部２８の上面は、例えば、その全体が平坦に形成されており、水平に配置されている。
第１壁部２７は、第２壁部２８の前縁から上方に向けて起立している。第１壁部２７の厚み方向はＹ方向であり、例えば、Ｘ方向並びにＺ方向における第１壁部２７の寸法は、当該第１壁部２７の厚み寸法よりも大きい。
左側の第３壁部２９は、第２壁部２８の左縁から上方に向けて起立している。左側の第３壁部２９の前縁部と第１壁部２７の左縁部とが相互に接続されている。
右側の第３壁部２９は、第２壁部２８の右縁から上方に向けて起立している。右側の第３壁部２９の前縁部と第１壁部２７の右縁部とが相互に接続されている。
左右の第３壁部２９は、互いに対向して配置されている。
各第３壁部２９の厚み方向はＸ方向であり、例えば、Ｙ方向並びにＺ方向における第３壁部２９の寸法は、当該第３壁部２９の厚み寸法よりも大きい。
左側の第４壁部３０は、第２壁部２８において左側の側方張出部１７と対応する部位における後縁から、上方に向けて起立している。左側の第４壁部３０の左縁部と左側の第３壁部２９の後縁部とが相互に接続されている。左側の第４壁部３０は、第１壁部２７の左端部に対して対向して配置されている。つまり、第４壁部３０は、第３壁部２９に隣接しているとともに第１壁部２７と対向している。
右側の第４壁部３０は、第２壁部２８において右側の側方張出部１７と対応する部位における後縁から、上方に向けて起立している。右側の第４壁部３０の右縁部と右側の第３壁部２９の後縁部とが相互に接続されている。右側の第４壁部３０は、第１壁部２７の右端部に対して対向して配置されている。
前側の鍔部収容部２５は、上方に向けて開放している。
【００２８】
前側の鍔部収容部２５は、当該鍔部収容部２５における外方側（つまり前側）の外面である外方面２５ａと、左右一対の側面２５ｂと、を有する。外方面２５ａは前方を向く鉛直面であり、左側の側面２５ｂは左方を向く鉛直面であり、右側の側面２５ｂは右方を向く鉛直面である。
同様に、後側の鍔部収容部２５は、当該鍔部収容部２５における外方側（つまり後側）の外面である外方面２５ａと、左右一対の側面２５ｂと、を有する。
例えば、鍔部収容部２５の外面において、外方面２５ａと左側の側面２５ｂとの境界部、並びに、外方面２５ａと右側の側面２５ｂとの境界部は、それぞれ面取形状部３３となっている。面取形状部３３は、外方面２５ａと側面２５ｂとの双方に対して傾斜した鉛直面である。
平面視における面取形状部３３の位置は、第１壁部２７と各第３壁部２９との境界部とも対応している。このため、第１壁部２７と第３壁部２９との境界部における厚み寸法は、第１壁部２７における他部の厚み寸法並びに第３壁部２９における他部の厚み寸法と比べて、小さくなっている。
【００２９】
第１壁部２７の上端面は、例えば、平坦に形成されており、左右に水平に延在している。なお、前側の第１壁部２７の上端面と後側の第１壁部２７の上端面には、それぞれ後述する凹部３５、３６がそれぞれ形成されている。
第３壁部２９の上端面は、例えば、平坦に形成されており、前後に水平に延在している。
第４壁部３０の上縁は、例えば、左右に水平に延在している。
【００３０】
ここで、鍔部収容部２５において、第１壁部２７と一対の第３壁部２９とを含む部分の上端面を、鍔部収容部２５の上端面２５ｃと称する。
例えば、前側の鍔部収容部２５の上端面２５ｃには、下向きに窪んだ凹部３５が形成されている。前側の鍔部収容部２５の上端面２５ｃは、凹部３５の形成箇所を除き、平坦に形成されており、水平に配置されている。
同様に、後側の鍔部収容部２５の上端面２５ｃには、下向きに窪んだ凹部３６が形成されている。後側の鍔部収容部２５の上端面２５ｃは、凹部３６の形成箇所を除き、平坦に形成されており、水平に配置されている。
本実施形態の場合、凹部３５は前側の第１壁部２７の上端面に形成されており、凹部３６は後側の第１壁部２７の上端面に形成されている。より詳細には、例えば、凹部３５及び凹部３６の各々は、対応する第１壁部２７の上端面の左右方向における中央部に配置されており、当該第１壁部２７の厚み方向における全域（前後方向における全域）に亘って形成されている。
凹部３５と凹部３６とでは互いに左右幅寸法が異なっており、コイル部品１００の前後の向きの識別が可能となっている。
【００３１】
基部収容部４０は、例えば、第１壁部２７における左右両端部を除く部位と、第２壁部２８における左右両端部を除く部位と、により構成されている。
左右の側方張出部収容部３７は、基部収容部４０の左右両側にそれぞれ隣接して配置されている。
左側の側方張出部収容部３７は、例えば、第１壁部２７における左端部と、第２壁部２８における左端部と、左側の第３壁部２９と、左側の第４壁部３０と、を含んで構成されている。左側の側方張出部収容部３７は、左側の面取形状部３３と左側の側面２５ｂとを含んでいる。
右側の側方張出部収容部３７は、例えば、第１壁部２７における右端部と、第２壁部２８における右端部と、右側の第３壁部２９と、右側の第４壁部３０と、を含んで構成されている。右側の側方張出部収容部３７は、右側の面取形状部３３と右側の側面２５ｂとを含んでいる。
【００３２】
鍔部収容部２５の左側の側面２５ｂは左側の側方張出部収容部３７の側面であり、鍔部収容部２５の右側の側面２５ｂは右側の側方張出部収容部３７の側面であり、鍔部収容部２５の外方面２５ａは基部収容部４０の外方面である。
左右の側方張出部収容部３７の各々は、例えば、内方側を向く鉛直面である内方面３７ｃを有する。内方面３７ｃは、例えば、Ｙ方向に対して直交している。左側の内方面３７ｃは、左側の第４壁部３０における内方面と左側の第３壁部２９における内方面とを含む。右側の内方面３７ｃは、右側の第４壁部３０における内方面と右側の第３壁部２９における内方面とを含む。
左右の側方張出部収容部３７の各々は、下面３７ｂを含む。各下面３７ｂは、例えば、平坦に形成されており、且つ、水平に配置されている。
内方面３７ｃと下面３７ｂとの境界部には、内方面３７ｃと下面３７ｂとの双方に対して傾斜した面取形状部３８が形成されている。
【００３３】
基部収容部４０は、下面４０ａと内方面４０ｂとを有する。
内方面４０ｂは、例えば、内方側を向く鉛直面である。内方面４０ｂは、例えば、Ｙ方向に対して直交している。
なお、Ｙ方向において、前側の内方面３７ｃの位置と前側の内方面４０ｂの位置とは互いに略等しく、後側の内方面３７ｃの位置と後側の内方面４０ｂの位置とは互いに略等しい。
左右の側方張出部収容部３７の下面３７ｂの高さ位置は、基部収容部４０の下面４０ａの高さ位置よりも高い（図２、図５、図８参照）。このため、下面４０ａと左右の側方張出部収容部３７の下面３７ｂとの境界には、それぞれ段差が形成されている。
下面４０ａは、例えば、絶縁枠体２４の最下面である。
下面４０ａは、例えば、平坦に形成されており、且つ、水平に配置されている。なお、図２に示すように、下面４０ａには、例えば、下向きに開放している端子突出穴４５と、チャッキング用の凹部４４と、が形成されている。
前側の基部収容部４０の前端部における左端部と右端部とにそれぞれ端子突出穴４５が形成されており、後側の基部収容部４０の後端部における左端部と右端部とにそれぞれ端子突出穴４５が形成されている。
前側の基部収容部４０の凹部４４は、当該基部収容部４０の後部の左右方向における中央部に形成されており、下方及び後方に向けて開放している。後側の基部収容部４０の凹部４４は、当該基部収容部４０の前部の左右方向における中央部に形成されており、下方及び前方に向けて開放している。すなわち、凹部４４は、内方面４０ｂにおいて開口している。
【００３４】
中間部２６の概略の平面形状は、芯部１１の平面形状と対応しており、例えば、芯部１１を左右方向に一回り大きくした形状となっている。
中間部２６は、芯部１１の左右一対の側面１１ｃの各々を覆う一対（左右一対）の第５壁部３１と、芯部１１の下面１１ｂを覆う第６壁部３２と、を有する。一対の第５壁部３１は、互いに対向して配置されている。
第５壁部３１は、側面１１ｃに対して略平行となって、側面１１ｃと対向していることが好ましい。第６壁部３２は、下面１１ｂに対して略平行となって、下面１１ｂと対向していることが好ましく、下面１１ｂに対して面接触していることがより好ましい。
より詳細には、例えば、第６壁部３２は下面１１ｂの全面を覆っており、各第５壁部３１は各側面１１ｃの少なくとも下部を覆っている。
第６壁部３２の前縁部は、前側の鍔部収容部２５の第２壁部２８において前側の鍔部１２の基部１６と対応する部位に、接続されている。第６壁部３２の後縁部は、後側の鍔部収容部２５の第２壁部２８において後側の鍔部１２の基部１６と対応する部位に、接続されている。
左側の第５壁部３１は、第６壁部３２の左縁部から上方に向けて起立している。左側の第５壁部３１の前縁部は、前側の鍔部収容部２５における左側の第４壁部３０の右縁部に接続されている。左側の第５壁部３１の後縁部は、後側の鍔部収容部２５における左側の第４壁部３０の右縁部に接続されている。
同様に、右側の第５壁部３１は、第６壁部３２の右縁部から上方に向けて起立している。右側の第５壁部３１の前縁部は、前側の鍔部収容部２５における右側の第４壁部３０の左縁部に接続されており、右側の第５壁部３１の後縁部は、後側の鍔部収容部２５における右側の第４壁部３０の左縁部に接続されている。
中間部２６は、上方に向けて開放している。
【００３５】
第５壁部３１の厚み方向はＸ方向であり、例えば、Ｙ方向並びにＺ方向における第５壁部３１の寸法は、第５壁部３１の厚み寸法よりも大きい。
第６壁部３２の厚み方向はＺ方向であり、例えば、Ｙ方向並びにＸ方向における第６壁部３２の寸法は、第６壁部３２の厚み寸法よりも大きい。
中間部２６は、左右一対の側面２６ａと、下面２６ｂと、を有する。側面２６ａは、第５壁部３１の外面である。側面２６ａは、例えば、平坦な鉛直面となっており、Ｘ方向に対して直交している。下面２６ｂは、第６壁部３２の下面である。下面２６ｂは、例えば、平坦な水平面となっている。
第５壁部３１の上縁は、前後に水平に延在している。
なお、下面２６ｂと各側面２６ａとの境界部、並びに、第５壁部３１の上縁と側面２６ａとの境界部は、それぞれ面取り形状となっていることが好ましい。
図５及び図８に示すように、下面２６ｂの高さ位置は、基部収容部４０の下面４０ａの高さ位置よりも高いことが好ましい。
【００３６】
平面視において、絶縁枠体２４の概略形状は、磁性コア１０の形状と対応している。すなわち、図７に示すように、絶縁枠体２４は、平面視においてＨ字状に形成されており、中間部２６は、鍔部収容部２５よりも括れている（Ｘ方向における寸法が小さい）。
【００３７】
ここで、前後一対の第２壁部２８の上面と第６壁部３２の上面とを含む面を、内部底面２４ｂと称する。内部底面２４ｂは、その全体が平坦に形成されており、水平に配置されている。
また、絶縁枠体２４の内周面のうち、内部底面２４ｂを除く部分を、内周壁面２４ａと称する。平面視において、内周壁面２４ａの形状は、磁性コア１０の形状と対応している。内周壁面２４ａの各部は、平坦な鉛直面となっている。
中間部２６の内部空間と前後一対の鍔部収容部２５の内部空間とを合わせた領域を、収容領域４６（図３、図５）と称する。
【００３８】
絶縁枠体２４は、例えば、樹脂などの絶縁材料により、その全体が一体成形されている。
絶縁枠体２４は、以上のように構成されている。
【００３９】
磁性コア１０は、当該磁性コア１０の下面１０ａが内部底面２４ｂに当接する状態で、収容領域４６に収容されている。例えば、磁性コア１０の下面１０ａは、内部底面２４ｂに対して接着固定されている。
本実施形態の場合、第２磁性コア２３の少なくとも下端部が、収容領域４６に収容されている。なお、Ｙ方向における第２磁性コア２３の寸法は、前後の鍔部１２の内方面１６ａどうしの対向間隔よりも大きく、前後の第１壁部２７どうしの対向間隔よりも小さい。Ｘ方向における第２磁性コア２３の寸法は、左右の第３壁部２９どうしの対向間隔よりも小さく、好ましくは、左右の段差面１８どうしの距離よりも大きい。
内周壁面２４ａは、磁性コア１０の周囲（側周囲）を囲んでいるとともに、第２磁性コア２３の周囲（側周囲）を囲んでいる。
ここで、一対の鍔部１２の上面１２ａどうしは、互いに同一平面上に配置されている。図５に示すように、第２磁性コア２３は、一対の鍔部１２の上面１２ａ間に亘って水平に架設されている。より詳細には、例えば、一対の鍔部１２の各々の上面１２ａの実質的に全体が、第２磁性コア２３の下面２３ｂに対して面接触している。
一方、第２磁性コア２３の下面２３ｂの高さ位置は、芯部１１の上面１１ａ並びに第５壁部３１の上端３１ａの高さ位置よりも高く、側面視において、第２磁性コア２３の下面２３ｂと、芯部１１の上面１１ａ並びに第５壁部３１の上端３１ａとの間には、間隙が存在している。この間隙を通して、コイル５４が巻回されている。
【００４０】
本実施形態の場合、第２磁性コア２３は、接着剤７１によって、絶縁枠体２４に固定されている。
より詳細には、例えば、図４に示すように、平面視における第２磁性コア２３の四隅がそれぞれ接着剤７１によって鍔部収容部２５に固定されている。
【００４１】
ここで、磁性コア１０並びに第２磁性コア２３の製造工程は、例えば焼成工程を含むため、磁性コア１０並びに第２磁性コア２３の製造バラツキによる寸法公差を無視できない可能性がある。
このような事情に対し、図７に示すように、内周壁面２４ａの全域と磁性コア１０の外周面との間には、空隙が存在している。これにより、磁性コア１０の製造バラツキが生じても、磁性コア１０を収容領域４６に収容できるようになっている。
同様に、内周壁面２４ａと第２磁性コア２３の側周面２３ｃとの間には、（接着剤７１の形成箇所を除き）空隙が存在しており、第２磁性コア２３の製造バラツキが生じても、第２磁性コア２３を収容領域４６に収容できるようになっている。
【００４２】
電極端子部材４７は、金属材料などの導電材料により構成されている。
電極端子部材４７は、例えば、インサート成形によって絶縁枠体２４に埋設されている。
より詳細には、電極端子部材４７は、例えば、鍔部収容部２５において、内部底面２４ｂよりも下の部分（以下、端子埋設部４２と称する）に埋設されている。従って、電極端子部材４７は、絶縁枠体２４の内面（内部底面２４ｂ及び内周壁面２４ａ）には露出していない。電極端子部材４７は、少なくともその上面側が、絶縁枠体２４を構成する絶縁材料によって覆われている。
このため、絶縁枠体２４によって、磁性コア１０と電極端子部材４７との間の絶縁、並びに、第２磁性コア２３と電極端子部材４７との間の絶縁を、より確実に得ることができる。
【００４３】
本実施形態の場合、コイル部品１００は、４つの電極端子部材４７を備えている。電極端子部材４７は、例えば、平面視における絶縁枠体２４の４隅にそれぞれ設けられている。
各電極端子部材４７は、例えば、金属片を折り曲げ形成することにより構成されており、実装端子５０と絡げ端子５２とを一体的に有する。実装端子５０は外部接続用の端子であり、絡げ端子５２にはコイル５４の先端部が接続されている。
図７に示すように、電極端子部材４７の平面形状は、例えば、Ｕ字形状となっている。
このＵ字形状における一方の半部の先端部が実装端子５０を構成しており、他方の半部の先端部が絡げ端子５２を構成している。
電極端子部材４７における上記他方の半部は、その全体が水平に配置されている。そして、絡げ端子５２の全体が、基部収容部４０の下面４０ａよりも上方に位置している（図５参照）。
電極端子部材４７における上記一方の半部は、側面視においてクランク状に屈曲している（図５参照）。当該屈曲した部分は、上段において水平に延在する第１水平部分と、下段において水平に延在する第２水平部分（第２水平部分が実装端子５０である）と、第１水平部分と第２水平部分とを相互に連結しているとともに上下に延在している上下延在部分と、を有する。
第１水平部分は、端子埋設部４２に埋設されている。
上下延在部分の上部は、端子埋設部４２に埋設されており、上下延在部分の下部は、端子埋設部４２から下方に突出し、更に、端子突出穴４５から下方に突出している。
第２水平部分（実装端子５０）は、絡げ端子５２よりも低段に配置されている（図５参照）。そして、実装端子５０の少なくとも一部分（少なくとも下縁部）は、絶縁枠体２４の最下面である下面４０ａよりも下方に配置されている。
【００４４】
例えば、前側の２つの電極端子部材４７の実装端子５０及び絡げ端子５２は、平面視において、それぞれ絶縁枠体２４から前方に突出している。一方、後側の２つの電極端子部材４７の実装端子５０及び絡げ端子５２は、平面視において、それぞれ絶縁枠体２４から後方に突出している。
各電極端子部材４７の実装端子５０と絡げ端子５２とのうち、実装端子５０が左右方向における中央寄りに配置されており、絡げ端子５２が左右方向における外側に配置されている。実装端子５０は、例えば、Ｘ方向において、側方張出部収容部３７よりも中心寄りに配置されている。
絡げ端子５２は、側方張出部収容部３７の下端部において、下面３７ｂよりも上方の部位から、前方又は後方に突出している。
より詳細には、絡げ端子５２は、面取形状部３３の下端部から、前方又は後方に突出している。このため、図４に示すように、面取形状部３３からの絡げ端子５２の突出長は十分に確保しても、外方面２５ａよりも前方又は後方への絡げ端子５２の突出長は短く設定できるため、コイル部品１００の平面寸法をコンパクトにすることができる。
例えば、Ｙ方向において、実装端子５０の先端位置は、絡げ端子５２の先端位置よりも、外方に位置している。
【００４５】
上述のように、コイル部品１００は、例えば、第１コイル５６と第２コイル５７との２つのコイルを有する。
各コイル（第１コイル５６、第２コイル５７）の巻回部５８は、絶縁枠体２４の中間部２６の周囲に巻回されている。中間部２６には磁性コア１０の芯部１１が収容されているので、巻回部５８は、芯部１１及び中間部２６の周囲に巻回されている。
より詳細には、巻回部５８における各ターン（１回周回する部分の各々）は、芯部１１の上面１１ａ、中間部２６の一方の側面２６ａ、中間部２６の下面２６ｂ、及び、中間部２６の他方の側面２６ａに沿って巻き付けられている。
そして、巻回部５８におけるいずれか１つ以上のターンは、例えば、芯部１１の上面１１ａ、中間部２６の一方の側面２６ａ、中間部２６の下面２６ｂ、及び、中間部２６の他方の側面２６ａに接触する状態で巻き付けられている。
ここで、側方張出部収容部３７の内方面３７ｃ、並びに、基部収容部４０の内方面４０ｂは、Ｙ方向における巻回部５８の端部の位置を画定する鍔として機能する（図１、図２等参照）。すなわち、巻回部５８の前端部の位置は、前側の鍔部収容部２５の内方面４０ｂと左右の内方面３７ｃとにより画定（位置決め）されている。また、巻回部５８の後端部の位置は、後側の鍔部収容部２５の内方面４０ｂと左右の内方面３７ｃとにより画定（位置決め）されている。
【００４６】
図２に示すように、各コイル（第１コイル５６、第２コイル５７）の両端部（一端部５９及び他端部６０）は、Ｙ方向における巻回部５８の端部における左端部又は右端部から下方に引き出され、側方張出部収容部３７の面取形状部３８及び下面３７ｂに沿って、絡げ端子５２側に導かれている。
例えば、第１コイル５６の一端部５９は、第１コイル５６の巻回部５８の前端部における左端部から引き出され、左前の側方張出部収容部３７の面取形状部３８及び下面３７ｂに沿って、左前の電極端子部材４７の絡げ端子５２側に導かれている。
同様に、第１コイル５６の他端部６０は、例えば、第１コイル５６の巻回部５８の前端部における右端部から引き出され、右前の側方張出部収容部３７の面取形状部３８及び下面３７ｂに沿って、右前の電極端子部材４７の絡げ端子５２側に導かれている。
また、第２コイル５７の一端部５９は、例えば、第２コイル５７の巻回部５８の後端部における左端部から引き出され、左後の側方張出部収容部３７の面取形状部３８及び下面３７ｂに沿って、左後の電極端子部材４７の絡げ端子５２側に導かれている。
同様に、第２コイル５７の他端部６０は、例えば、第２コイル５７の巻回部５８の前端部における右端部から引き出され、右後の側方張出部収容部３７の面取形状部３８及び下面３７ｂに沿って、右後の電極端子部材４７の絡げ端子５２側に導かれている。
このように、各コイルの両端部は、面取形状部３８に沿って、対応する絡げ端子５２側に導かれているため、導線５５の絶縁被膜へのダメージを抑制することができる。
なお、各コイルの両端部は、基部収容部４０の下面４０ａよりも上方に位置している（図５参照）。このため、コイル部品１００を面実装した際に、各コイルの両端部と基板との干渉を抑制することができる。
【００４７】
各コイル（第１コイル５６、第２コイル５７）の両端部は、各電極端子部材４７の絡げ端子５２に対して絡げられ且つ溶接されることによって、対応する絡げ端子５２に対して電気的及び機械的に接続されている。
すなわち、第１コイル５６の一端部５９は左前の電極端子部材４７の絡げ端子５２に、第１コイル５６の他端部６０は右前の電極端子部材４７の絡げ端子５２に、第２コイル５７の一端部５９は左後の電極端子部材４７の絡げ端子５２に、第２コイル５７の他端部６０は右後の電極端子部材４７の絡げ端子５２に、それぞれ接続されている。
【００４８】
ここで、図５及び図８に示すように、第３壁部２９の上端２９ａの高さ位置よりも第５壁部３１の上端３１ａの高さ位置が低い。このため、芯部１１の厚み寸法が鍔部１２の高さ寸法よりも小さい場合などのように、上面１１ａの高さ位置が上面１２ａの高さ位置よりも低い場合において、芯部１１の上面１１ａとコイル５４の巻回部５８との上下方向における距離を抑制できる。
【００４９】
本実施形態の場合、図８等に示すように、第５壁部３１の上端３１ａの高さ位置よりも芯部１１の上面１１ａの高さ位置が高く、巻回部５８は、芯部１１の上面１１ａに接触する状態で巻き付けられている。このため、巻回部５８において導線５５が空中配線とならないようにできる。
より詳細には、芯部１１の厚み寸法（上下寸法）は、第５壁部３１の高さ寸法（第６壁部３２の上面から上方への第５壁部３１の起立高さ）よりも大きい。このため、芯部１１の下面１１ｂが第６壁部３２の上面に当接しているが、芯部１１の上面１１ａの高さ位置が第５壁部３１の上端３１ａの高さ位置よりも高い。
ここで、芯部１１の側面１１ｃと上面１１ａとの境界部は、面取り形状とされている。このため、巻回部５８を構成する導線５５と芯部１１との接触に起因した導線５５の絶縁被覆へのダメージを抑制することができ、絶縁被覆の絶縁性能を維持することができる。
【００５０】
また、図８等に示すように、第５壁部３１の上端３１ａの高さ位置は、第４壁部３０の上端３０ａの高さ位置と同じであるか又はそれよりも低い。
換言すれば、上端３０ａの高さ位置が上端３１ａの高さ位置と同等以上である。このため、第４壁部３０によって第４面２０をより広範囲に覆うことができるため、磁性コア１０（特に側方張出部１７）と電極端子部材４７との間の絶縁をより確実に確保することができる。
より詳細には、第５壁部３１の上端３１ａの高さ位置は、第４壁部３０の上端３０ａの高さ位置よりも低い。換言すれば、上端３０ａの高さ位置が上端３１ａの高さ位置よりも高い。このため、第４壁部３０によって第４面２０を更に広範囲に覆うことができ、磁性コア１０（特に側方張出部１７）と電極端子部材４７との間の絶縁を更に確実に確保することができる。
【００５１】
また、第２磁性コア２３の下面２３ｂの高さ位置は、第３壁部２９の上端２９ａの高さ位置よりも低い。つまり、第２磁性コア２３の少なくとも下端部を第３壁部２９によって覆うことができる。
これにより、第２磁性コア２３と電極端子部材４７との間の絶縁を確保することができる。
【００５２】
本実施形態の場合、第２磁性コア２３の少なくとも下端部が、第１壁部２７によっても覆われている。
より詳細には、本実施形態の場合、例えば、図５及び図８に示すように、第２磁性コア２３の上端部は、第１壁部２７の上端２７ａ並びに第３壁部２９の上端２９ａよりも上方に突出している。
【００５３】
また、第４壁部３０の上端３０ａの高さ位置は、第２磁性コア２３の下面２３ｂの高さ位置と同じであるか又はそれよりも低い。
これにより、平面視において第２磁性コア２３が第４壁部３０と重なる程度に、第２磁性コア２３の平面積が大きい場合にも（図７参照）、第４壁部３０と第２磁性コア２３との干渉を抑制することができる。
より好ましくは、図８等に示すように、第４壁部３０の上端３０ａの高さ位置は、第２磁性コア２３の下面２３ｂの高さ位置よりも低い。
更に好ましくは、第４壁部３０の上端３０ａの高さ位置は、鍔部１２の上面１２ａの高さ位置よりも低い。
【００５４】
また、第４壁部３０の上端３０ａの高さ位置は、第３壁部２９の上端２９ａの高さ位置よりも低い。これにより、平面視において第２磁性コア２３が第４壁部３０と重なる程度に、第２磁性コア２３の平面積が大きい場合にも（図７参照）、第４壁部３０が第２磁性コア２３と干渉することなく、第２磁性コア２３の少なくとも下端部を第３壁部２９によって覆うことができる。これにより、第２磁性コア２３と電極端子部材４７との間の絶縁を確保することができる。
【００５５】
本実施形態の場合、一対の鍔部収容部２５の各々は、第２磁性コア２３の少なくとも下端部を収容している。
これにより、第２磁性コア２３と電極端子部材４７との間の絶縁を確保することができる。
【００５６】
本実施形態の場合、鍔部１２の上面１２ａの高さ位置は、第３壁部２９の上端２９ａの高さ位置よりも低く、第１壁部２７の上端２７ａの高さ位置よりも低く、第１壁部２７の凹部３５又は凹部３６の底面の高さ位置よりも低く、第４壁部３０の上端３０ａの高さ位置よりも高い。
【００５７】
また、鍔部１２の側方張出部１７における第４壁部３０側の部分には、芯部１１の軸方向における外方に向けて基部１６よりも窪んだ凹部２１が形成されて、第４面２０は、基部１６における内方側の面（内方面１６ａ）よりも外方にオフセットされている（図７参照）。そして、凹部２１に第４壁部３０が入り込んでいる。
これにより、一対の鍔部収容部２５の第４壁部３０どうしの対向間隔を十分に確保することができるため、芯部１１の軸方向における巻回部５８の形成範囲をより十分に確保することができる。このため、巻回部５８における導線５５の巻数（ターン数）を十分に確保したり、外径が十分に大きな導線５５を用いたりすることができる。
なお、鍔部１２の側方張出部１７における第４壁部３０側の部分、すなわち側方張出部１７における内方側の端部においては、磁束密度が小さく、当該部分の形状は、実効磁路に与える影響が少ない。つまり、コイル部品１００の特性への影響が小さい部分に凹部２１を形成し、この凹部２１に第４壁部３０を配置することによって、コイル部品１００の特性を好適に向上させることができる。
【００５８】
また、図７に示すように、第３壁部２９の一部分３４は、鍔部１２よりも、芯部１１の軸方向における内方側に配置されている。同様に、第４壁部３０の一部分３９は、鍔部１２よりも、芯部１１の軸方向における内方側に配置されている。
ここで、図７に示す直線Ｌ１は、前側の鍔部１２における後端位置（内方面１６ａの位置）を示している。前側の第３壁部２９の一部分３４、並びに、前側の第４壁部３０の一部分３９は、直線Ｌ１よりも後側に位置している。すなわち、一部分３４及び一部分３９は、鍔部１２よりも、芯部１１の軸方向における内方側に配置されている。
従って、図７に示すように、内方面３７ｃは、内方面１６ａよりも内方側に配置されている。
また、図５に示すように、内方面４０ｂも、内方面１６ａよりも内方側に配置されている。
ここで、上述のように、側方張出部収容部３７の内方面３７ｃ、並びに、基部収容部４０の内方面４０ｂは、Ｙ方向における巻回部５８の端部の位置を画定する鍔として機能する。
内方面３７ｃ並びに内方面４０ｂが内方面１６ａよりも内方側に配置されているので、導線５５において巻回部５８を構成する部分と鍔部１２との干渉を抑制することができる。よって、鍔部１２と導線５５との接触に起因した導線５５の絶縁被覆へのダメージを抑制することができ、絶縁被覆の絶縁性能を維持することができる。
なお、上述のように、磁性コア１０の製造バラツキによる寸法公差を無視できない可能性があるが、磁性コア１０の製造バラツキが生じても、内方面３７ｃが内方面１６ａよりも内方側に配置されるように、内方面３７ｃの設計上の位置が設定されている。
本実施形態の場合、絶縁枠体２４が備える前後左右の４つの第３壁部２９の一部分３４の各々、並びに、絶縁枠体２４が備える前後左右の４つの第４壁部３０の一部分３９の各々が、鍔部１２よりも、芯部１１の軸方向における内方側に配置されている。
【００５９】
上述のように、鍔部１２の上面１２ａに対して隣接する各面（第１面１３、第３面１５、第４面２０、段差面１８及び内方面１６ａ）は、上面１２ａに対して直交している。また、上述のように、鍔部１２の上面１２ａと、上面１２ａに対して隣接する各面と、の境界部は、面取り形状とはなっていない。
このため、鍔部１２の上面１２ａの面積は、鍔部１２の平断面積の最大値に等しい。よって、鍔部１２の上面１２ａと第２磁性コア２３の下面２３ｂとの接触面積を十分に確保できることから、コイル部品１００の良好な特性が得られる。
【００６０】
図７に示すように、平面視において、第２磁性コア２３（板コア）が磁性コア１０よりも一回り大きく形成されている。そして、図７に示すように、平面視において、板コア（第２磁性コア２３）の外形線（図７において二点鎖線で示されている）の内側に磁性コア１０が収まっている。
このため、水平方向において磁性コア１０に対する第２磁性コア２３の位置ずれが生じても、鍔部１２の上面１２ａと第２磁性コア２３の下面２３ｂとの接触面積の変動を抑制できる。よって、コイル部品１００の特性を安定的に得ることができる。ここで言う位置ずれは、製造バラツキや、温度変化等の環境要因に基づくものなどを指す。
【００６１】
なお、本実施形態の場合、第１壁部２７の上端２７ａの高さ位置と第３壁部２９の上端２９ａの高さ位置とは互いに等しい。ただし、本発明は、この例に限らず、上端２７ａの高さ位置は、上端２９ａの高さ位置よりも高くてもよいし、上端２９ａの高さ位置よりも低くてもよい。
【００６２】
コイル部品１００の組み立ては、例えば、以下のようにして行うことができる。
先ず、予め各電極端子部材４７が埋設された絶縁枠体２４を準備する。
次に、絶縁枠体２４の上方から、磁性コア１０を収容領域４６に挿入する。すなわち、一対の鍔部１２の各々は一対の鍔部収容部２５の各々の内部に配置するとともに、芯部１１は中間部２６の内部に配置する。この際に、例えば、磁性コア１０の下面１０ａを絶縁枠体２４の内部底面２４ｂに対して接着固定する。
次に、第１コイル５６及び第２コイル５７を芯部１１及び中間部２６の周囲に巻き付けてそれぞれ巻回部５８を形成する。そして、第１コイル５６及び第２コイル５７の両端部（一端部５９、他端部６０）を、それぞれ対応する絡げ端子５２に絡げて、例えばレーザを用いた溶接により絡げ端子５２に固定する。なお、図３に示す絡げ端子５２の形状は、溶接前の形状であり、その他の図に示す絡げ端子５２は、溶接後の形状である。
次に、絶縁枠体２４の上方から第２磁性コア２３を収容領域４６に挿入する。すなわち、前後方向における第２磁性コア２３の両端部を、それぞれ前後の鍔部収容部２５の上端部の内部に配置する。ここで、第２磁性コア２３を一対の鍔部１２の上面１２ａ間に亘って架設する。
次に、第２磁性コア２３を鍔部収容部２５の内周面に対して接着剤７１により固定する。
こうして、コイル部品１００が得られる。
【００６３】
一例として、コイル部品１００は、高耐圧のパルストランスとして用いることができるが、コイル部品１００の用途はこの例に限らない。
【００６４】
以上、図面を参照して実施形態を説明したが、これらは本発明の例示であり、上記以外の様々な構成を採用することもできる。
【００６５】
例えば、上記においては、コイル部品１００が２つのコイル（第１コイル５６と第２コイル５７）を備える例を説明したが、コイル部品１００が備えるコイルは１つであってもよい。
また、上記においては、磁性コア１０が一対の鍔部１２を有する例を説明したが、一対の鍔部１２のうち一方の鍔部１２を磁性コア１０が有しているとともに、他方を第２磁性コア２３が有していてもよい。すなわち、コイル部品１００は、それぞれＬ字状の２つのコアを備えていてもよい。
また、上記においては、磁性コア１０が有する鍔部の数が２つの例を説明したが、磁性コア１０は、上述の一対の鍔部１２の間に、更に１つの鍔部（第３鍔部）を有していてもよい。この場合、一対の鍔部１２のうちの一方の鍔部１２と第３鍔部との間、並びに、第３鍔部と他方の鍔部１２との間において、それぞれコイルが巻回される。
また、上記においては、コイル部品１００が２つの磁性コア（磁性コア１０と第２磁性コア２３）を備える例を説明したが、コイル部品１００は環状の単一の磁性コアを備えていてもよい。
【００６６】
また、上記においては、第２磁性コア２３の少なくとも下端部が鍔部収容部２５によって覆われている例を説明したが、第２磁性コア２３の全体が鍔部収容部２５よりも上方に配置されていてもよい。すなわち、第２磁性コア２３の下面２３ｂの下面の高さ位置は、鍔部収容部２５の上端の高さ位置よりも高くてもよい。
【００６７】
また、上記においては、第２磁性コア２３が複数箇所に点在する接着剤７１によって絶縁枠体２４に対して接着固定されている例を説明したが、第２磁性コア２３の側周面２３ｃと絶縁枠体２４の内周壁面２４ａとの間隙の全域に接着剤を充填することによって、第２磁性コア２３を絶縁枠体２４に接着固定してもよい。この場合、第４壁部３０の上端３０ａは第２磁性コア２３の下面２３ｂに近接していることが好ましい。
また、第２磁性コア２３を絶縁枠体２４に対して固定せず、第２磁性コア２３の下面２３ｂを鍔部１２の上面１２ａに対して接着固定してもよい。
【００６８】
また、上記においては、電極端子部材４７が実装端子５０と絡げ端子５２とを別個に有する例を説明したが、本発明は、この例に限らず、絡げ端子５２が実装端子５０を兼ねていてもよい。
また、実装端子５０は、ピン状に形成されたピン端子であってもよい。
【００６９】
本実施形態は以下の技術思想を包含する。
（１）芯部を有する磁性コアと、
前記磁性コアを収容している絶縁枠体と、
前記絶縁枠体に設けられている電極端子部材と、
絶縁被覆されている導線により構成されているとともに、前記電極端子部材に対して電気的に接続されている、少なくとも１つのコイルと、
を有し、
前記少なくとも１つのコイルは、前記絶縁枠体の外面に接触した状態となるように前記絶縁枠体及び前記芯部の周囲に巻き付けられている巻回部を有するコイル部品。 
（２）前記磁性コアは、前記芯部の軸方向における前記芯部の両側にそれぞれ配置されている一対の鍔部を有し、
前記一対の鍔部の各々は、前記芯部の軸方向に対して直交する方向へ前記芯部から張り出しており、
前記絶縁枠体は、前記芯部を収容している中間部と、前記一対の鍔部の各々を収容している一対の鍔部収容部と、を有し、
前記巻回部は、前記芯部及び前記中間部の周囲に巻き付けられているとともに、前記中間部の外面に接触している（１）に記載のコイル部品。
（３）前記一対の鍔部の各々は、前記芯部の軸方向における外方を向く第１面と、当該鍔部の下面である第２面と、当該鍔部の側面である第３面と、を有し、
前記絶縁枠体の前記一対の鍔部収容部の各々は、前記第１面を覆う第１壁部と、前記第２面を覆う第２壁部と、前記第３面を覆う第３壁部と、前記第３壁部に隣接しているとともに前記第１壁部と対向している第４壁部と、を有し、
前記一対の鍔部の各々は、平面視において前記芯部の延長上に配置されている基部と、前記基部から側方に張り出している側方張出部と、を有し、
前記第４壁部は、前記側方張出部の外面のうち、前記第１面とは反対側を向く面である第４面を覆っている（２）に記載のコイル部品。
（４）前記中間部は、前記芯部の側面を覆う第５壁部を有し、
前記第３壁部の上端の高さ位置よりも前記第５壁部の上端の高さ位置が低い（３）に記載のコイル部品。
（５）前記第５壁部の上端の高さ位置よりも前記芯部の上面の高さ位置が高く、
前記巻回部は、前記芯部の上面に接触する状態で巻き付けられている（４）に記載のコイル部品。
（６）前記第５壁部の上端の高さ位置は、前記第４壁部の上端の高さ位置と同じであるか又はそれよりも低い（４）又は（５）に記載のコイル部品。
（７）前記第５壁部の上端の高さ位置は、前記第４壁部の上端の高さ位置よりも低い（５）又は（６）に記載のコイル部品。
（８）前記第４壁部の上端の高さ位置は、前記第３壁部の上端の高さ位置よりも低い（３）から（７）のいずれか一項に記載のコイル部品。
（９）前記磁性コアとともに閉磁路を構成する第２磁性コアを更に備え、
前記第２磁性コアの下面の高さ位置は、前記第３壁部の上端の高さ位置よりも低い（３）から（８）のいずれか一項に記載のコイル部品。
（１０）前記磁性コアとともに閉磁路を構成する第２磁性コアを更に備え、
前記第４壁部の上端の高さ位置は、前記第２磁性コアの下面の高さ位置と同じであるか又はそれよりも低い（３）から（９）のいずれか一項に記載のコイル部品。
（１１）前記側方張出部における前記第４壁部側の部分には、前記芯部の軸方向における外方に向けて前記基部よりも窪んだ凹部が形成されて、前記第４面は、前記基部における内方側の面よりも外方にオフセットされており、
前記凹部に前記第４壁部が入り込んでいる（３）から（１０）のいずれか一項に記載のコイル部品。
（１２）前記第３壁部の一部分は、前記鍔部よりも、前記芯部の軸方向における内方側に配置されている（３）から（１１）のいずれか一項に記載のコイル部品。
（１３）前記磁性コアとともに閉磁路を構成する第２磁性コアを更に備え、
前記第２磁性コアは、前記一対の鍔部の上面間に亘って架設されている板コアであり、
前記鍔部の前記上面の面積は、前記鍔部の平断面積の最大値に等しい（２）から（１２）のいずれか一項に記載のコイル部品。
（１４）前記磁性コアとともに閉磁路を構成する第２磁性コアを更に備え、
前記第２磁性コアは板コアであり、
前記一対の鍔部収容部の各々は、前記第２磁性コアの少なくとも下端部を収容している（２）から（１３）のいずれか一項に記載のコイル部品。
（１５）前記磁性コアとともに閉磁路を構成する第２磁性コアを更に備え、
前記第２磁性コアは板コアであり、
平面視において、前記板コアの外形線の内側に前記磁性コアが収まっている（１）から（１４）のいずれか一項に記載のコイル部品。
（１６）前記磁性コアとともに閉磁路を構成する第２磁性コアを更に備え、
前記第２磁性コアは、接着剤によって、前記絶縁枠体に固定されている（１）から（１５）のいずれか一項に記載のコイル部品。
【符号の説明】
【００７０】
１０  磁性コア
１０ａ  下面
１１  芯部
１１ａ  上面
１１ｂ  下面
１１ｃ  側面
１２  鍔部
１２ａ  上面
１３  第１面
１４  第２面
１５  第３面
１６  基部
１６ａ  内方面
１７  側方張出部
１８  段差面
２０  第４面
２１  凹部
２３  第２磁性コア
２３ａ  上面
２３ｂ  下面
２３ｃ  側周面
２４  絶縁枠体
２４ａ  内周壁面
２４ｂ  内部底面
２５  鍔部収容部
２５ａ  外方面
２５ｂ  側面
２５ｃ  上端面
２６  中間部
２６ａ  側面
２６ｂ  下面
２７  第１壁部
２７ａ  上端
２８  第２壁部
２９  第３壁部
２９ａ  上端
３０  第４壁部
３０ａ  上端
３１  第５壁部
３１ａ  上端
３２  第６壁部
３３  面取形状部
３４、３９  一部分
３５、３６  凹部
３７  側方張出部収容部
３７ｂ  下面
３７ｃ  内方面
３８  面取形状部
４０  基部収容部
４０ａ  下面
４０ｂ  内方面
４２  端子埋設部
４４  凹部
４５  端子突出穴
４６  収容領域
４７  電極端子部材
５０  実装端子
５２  絡げ端子
５４  コイル
５５  導線
５６  第１コイル
５７  第２コイル
５８  巻回部
５９  一端部
６０  他端部
７１  接着剤
１００  コイル部品
【図１】
2020126909.tif 000003
【図２】
2020126909.tif 000004
【図３】
2020126909.tif 000005
【図４】
2020126909.tif 000006
【図５】
2020126909.tif 000007
【図６】
2020126909.tif 000008
【図７】
2020126909.tif 000009
【図８】
2020126909.tif 000010